(57)【要約】【課題】薄板の締付穴に特別な加工を施すことなく、良好な締結を可能とする薄板に対するねじの締結構造を提供する。【解決手段】タッピンねじ３の締付穴１０が形成された薄板１と、タッピンねじ３の締付穴２０が形成されており、薄板１上に重ね合わせた板体２と、を有し、締付穴２０は、タッピンねじ３が当該穴の周縁に部分的に複数箇所で噛むような形状・寸法を備えており、タッピンねじ３の締結を締付穴１０及び締付穴２０で行う。【選択図】図１
2008019949.tif 000002
【特許請求の範囲】
【請求項１】
タッピンねじの締付穴が形成された薄板と、
タッピンねじの締付穴が形成されており、前記薄板上に重ね合わせた板体と、
を有し、
前記板体に形成された締付穴は、当該締付穴にタッピンねじが締め付けられる時に当該締付穴の周縁に複数箇所でねじ溝が形成されるような形状・寸法を備えており、タッピンねじを、タッピンねじの頭部と前記薄板との間に前記板体が挟まれた状態で、前記薄板に形成された締付穴及び前記板体に形成された締付穴に締結することを特徴とする、タッピンねじを用いた薄板と板体との固定構造。
【請求項２】
パネルの面部に対する部品の固定構造であって、
前記パネルの面部は薄板から形成されていると共に、前記面部の所定部位にはタッピンねじの締付穴が形成されており、
前記部品は前記パネルの面部に当接する板部を備えていると共に、前記板部にはタッピンねじの締付穴が形成されており、
前記板部に形成された締付穴は、当該締付穴にタッピンねじが締め付けられる時に当該締付穴の周縁に複数箇所でねじ溝が形成されるような形状・寸法を備えており、タッピンねじを、タッピンねじの頭部と前記薄板との間に前記板部が挟まれた状態で、前記薄板に形成された締付穴及び前記板部に形成された締付穴に締結することで前記部品を前記面部に固定する、パネルの面部に対する部品の固定構造。
【発明の詳細な説明】
【技術分野】
【０００１】
本発明は、タッピンねじを用いた薄板と板体との固定構造に係り、好ましい態様では、当該締結構造は、パネルの面部に対する部品の固定構造に用いられる。
【背景技術】
【０００２】
オーバーヘッドドアやパネルシャッター等のパネルには各種部品が固定される。このような部品としては、パネル同士を連結する丁番、ガイドローラを軸支するローラブラケット、シャッター錠の構成部品であるラッチ組立体等が挙げられる。ここで、パネルは板材を折曲することで形成されていることから、特に、力が作用する部品を固定する場合には、裏板や補強材を用いてポップナット等で固定することが行われる。
【０００３】
しかしながら、断熱材として内部にウレタンを充填したパネルを製作する場合には、ポップナット部分に予め裏板を固定したり、補強材を取り付ける事前準備が必要となることから手間がかかり、また、パネル内部に裏板や補強材を固定すると、均一なウレタン発泡に支障が出るおそれがある。さらに、ポップナットを固定するためには、パネルに板厚の厚い板を使用する必要がある。
【０００４】
一方、パネル重量を軽量化したい場合には、パネルを形成する板材の板厚をなるべく薄くしたいという要望があり、このことは、パネルに対する各種部品の固定をいっそう困難なものとしている。
【０００５】
薄板へのねじの締結構造については、特許文献１，２に開示されている。特許文献１，２に開示された締結構造は、ねじを用いて薄板同士を締結するものであり、また、下側の薄板の締付穴に特別な加工（凹状部や皿状絞り部）を施す必要がある。
【特許文献１】特開２００４−３４７１２３
【特許文献２】特開２００５−２３９４４
【発明の開示】
【発明が解決しようとする課題】
【０００６】
本発明の目的は、薄板の締付穴に特別な加工を施すことなく、良好な締結を可能とする薄板に対するねじの締結構造を提供することにある。
【０００７】
本発明の他の目的は、パネルの面部を薄板から形成したような場合であっても、パネルの面部に形成される締付穴に特別な加工を施すことなく、パネルの面部に部品を良好に固定することができる固定構造を提供することにある。
【課題を解決するための手段】
【０００８】
本発明に係るタッピンねじを用いた薄板と板体との固定構造は、タッピンねじの締付穴が形成された薄板と、タッピンねじの締付穴が形成されており、前記薄板上に重ね合わせた板体と、を有し、前記板体に形成された締付穴は、当該締付穴にタッピンねじが締め付けられる時に当該締付穴の周縁に複数箇所でねじ溝が形成されるような形状・寸法を備えており、タッピンねじを、タッピンねじの頭部と前記薄板との間に前記板体が挟まれた状態で、前記薄板に形成された締付穴及び前記板体に形成された締付穴に締結することを特徴とするものである。典型的な態様では、前記板体の板厚は、前記薄板の板厚よりも大きい寸法を有しているが、前記板体の板厚と前記薄板の板厚とがほぼ同じでもよい。一つの態様では、前記薄板に形成された締付穴の径は、タッピンねじの谷の径と略同じであり、前記板体に形成された締付穴の周縁は部分的に複数箇所において前記薄板に形成された締付孔の周縁に一致している。前記板体に形成された締付穴は、当該締付穴にタッピンねじが締め付けられる時に当該締付穴の周縁に部分的に複数箇所でねじ溝が形成されるような形状・寸法を備えていれば、その形状は限定されないが、一つの態様では、前記板体に形成された締付穴は長穴であり、長穴の短径は前記薄板に形成された締結穴の径と略同じであり、長穴の長径はタッピンねじの外径よりも大きい寸法を有している。
【０００９】
本発明が採用した他の技術手段は、パネルの面部に対する部品の固定構造であって、前記パネルの面部は薄板から形成されていると共に、前記面部の所定部位にはタッピンねじの締付穴が形成されており、前記部品は前記パネルの面部に当接する板部を備えていると共に、前記板部にはタッピンねじの締付穴が形成されており、前記板部に形成された締付穴は、当該締付穴にタッピンねじが締め付けられる時に当該締付穴の周縁に複数箇所でねじ溝が形成されるような形状・寸法を備えており、タッピンねじを、タッピンねじの頭部と前記薄板との間に前記板部が挟まれた状態で、前記薄板に形成された締付穴及び前記板部に形成された締付穴に締結することで前記部品を前記面部に固定する。
【００１０】
本発明が採用した他の技術手段は、パネルの面部に対する部品の固定構造であって、前記パネルの面部は薄板から形成されていると共に、前記面部の幅方向端部にはタッピンねじの締付穴が形成されており、前記面部の幅方向端部には板状の竪框が固定されると共に、前記板状の竪框にはタッピンねじの締付穴が形成されており、前記部品は前記板状の竪框に当接する板部を備えていると共に、前記板部には、タッピンねじの挿通穴が形成されており、前記板状の竪框に形成された締付穴は、当該締付穴にタッピンねじが締め付けられる時に当該締付穴の周縁に複数箇所でねじ溝が形成されるような形状・寸法を備えており、タッピンねじを、タッピンねじの頭部と前記薄板との間に前記板状の竪框、前記板部が挟まれた状態で、前記薄板に形成された締付穴及び前記板状の竪框に形成された締付穴に締結することで前記部品を前記面部に固定する。
【発明の効果】
【００１１】
本発明に係る薄板に対するねじの締結構造においては、薄板に形成された締付穴における締結力が不十分であっても、タッピンねじが、薄板の上に重ね合わせた板体に形成された締付穴に噛むことで、十分な締結力を提供することができる。したがって、薄板に対してタッピンねじを締結する場合に、締結力を気にすることなく作業を行うことができ、ねじの締結の作業性が良好であると共に、薄板の締付孔のみで締結力を担保する場合に比べて品質のバラツキを押さえることができる。また、前記板体に形成された締付穴の寸法・形状を選択することで、締結トルクの調整を行うことができる。
【００１２】
本発明に係るパネルの面部に対する部品の固定構造においては、上記ねじの締結構造が奏する効果に加えて、パネルの面部を薄板から形成した場合であっても、良好に部品をパネルの面部に固定することができるため、パネルの母材に用いる鋼板を肉薄の鋼板とすることができ、パネル重量の軽量化を図ることができ、設計範囲も広くなる。
【発明を実施するための最良の形態】
【００１３】
本発明に係る薄板に対するねじの締結構造を図面を参照しながら説明する。図１（Ａ）は、薄板１と薄板１の上に重ね合わせた板体２とをタッピンねじ３で締結した状態の平面図であり、図１（Ｂ）は、図１（Ａ）においてタッピンねじ３を締結する前の状態を示している。図２は、図１（Ａ）におけるＸ方向から見た断面図、図３は、図１（Ａ）におけるＹ方向から見た断面図である。また、図４は、図１（Ｂ）を拡大して示す図である。薄板１、板体２にはそれぞれ締付穴１０，２０が形成されている。薄板１に形成された締付穴１０に、板体２に形成した締付穴２０が位置合わせされるように、薄板１に板体２を重ね合わせて、タッピンねじ３で締結する。
【００１４】
タッピンねじ３は、頭部３０と軸部３１とを有し、軸部３１の外径をＤ１、谷の径をＤ２で表す。薄板１は、図示の例では、厚さ０．４ｍｍであり、薄板１に形成された締付穴１０は、タッピンねじ３の谷の径Ｄ２と略同じ径の丸穴である。薄板１の上に重ね合わせた板体２は、図示の例では、厚さ１．６ｍｍであり、板体２に形成された締付穴２０は、タッピンねじ３が、当該穴２０の周縁に部分的に複数箇所で噛むような形状・寸法を備えている。すなわち、締付穴２０は、当該締付穴２０にタッピンねじ３が締め付けられる時に、当該締付穴２０の周縁に部分的に複数箇所でねじ溝が形成されるような形状・寸法を備えている。長穴からなる締付穴２０の短径Ｓは、丸穴からなる締付穴１０の径と同じであって、タッピンねじ３の谷の径Ｄ２と略同じ寸法を有している。一方、締付穴２０の長径Ｌは、タッピンねじ３の外径Ｄ１（図４において２点鎖線で示す）よりも大きい寸法を有している。締付穴２０の周縁２００は、タッピンねじ３が噛む部分と、タッピンねじ３が噛むことがない自由な部分と、を備えている。図４から明らかなように、締付穴２０の周縁２００は、締付穴１０の周縁１００に一致する部分（短径Ｓを形成する部分）２００Ａを有しており、部分２００Ａが、周縁２００において、タッピンねじ３が噛む部分を形成している。周縁２００において、部分２００Ａ及び部分２００Ａの近傍を除く部分２００Ｂは、タッピンねじ３の外径Ｄ１よりも外側に位置しており、部分２００Ｂは、タッピンねじ３から離間しており、タッピンねじ３が噛むことがない部分となっている。
【００１５】
薄板１に板体２を重ね合わせて、タッピンねじ３の軸部３１を締付穴２０，１０に螺入させると、軸部３１のねじ山が締付穴２０の周縁２００の短径方向の部分２００Ａ、及び締付穴１０の周縁１００に噛んで締結される。図示の例では、締付穴１０の径はタッピンねじ３の谷の径Ｄ２と略同じであり、タッピンねじ３のねじ山が締付穴１０に噛んだ時には、締付穴１０の周縁１００はねじ山に当接して、上方あるいは／および下方に若干変形した状態となる。このように、タッピンねじ３の軸部３１は、締付穴１０、締付穴２０の二つの穴に対して締結されるため、薄板１の肉厚が薄くても、板体２の締付穴２０に対する締結が十分な締結トルクを提供することができる。また、薄板１に無理な力が作用することがなく、薄板１の破損を防ぐことができる。
【００１６】
図５は、図３に類似する図であって、薄板に対するタッピンねじの締結構造の他の態様を示している。本態様では、板体２の上に、さらに、板体４が重ね合わせてあり、薄板１、板体２、板体４をタッピンねじ３で締結している。板体４に形成された挿通穴４０はばか穴であり、タッピンねじ３の軸部３１は穴４０を単に挿通している。
【００１７】
タッピンねじが穴の周縁に部分的に複数箇所で噛むような形状・寸法を備えているものであれば、板体２に形成される締付穴２０の形状は長穴に限定されない。締付穴２０は、三角形、方形、５角形以上の多角形でもよく、また、他の形状を有していてもよい。図６に、板体２に形成された締付穴２０の他の態様例を示す。
【００１８】
図６（Ａ）において、締付穴２０は正方形であり、平面視において、円形の締付穴１０の周縁１００に、正方形の締付穴２０の周縁２００が、部分２００Ａにおいて接するようにして、板体２が薄板１上に重ね合わされる。図示の例では、タッピンねじ３は４点で締付穴２０に噛むようになっているが、タッピンねじ３と締付穴２０との噛み合い箇所が２点ないし３点でよければ、締付穴２０は長方形でもよい。
【００１９】
図６（Ｂ）において、締付穴２０は正三角形であり、平面視において、円形の締付穴１０の周縁１００に、正三角形の締付穴２０の周縁２００が、部分２００Ａにおいて接するようにして、板体２が薄板１上に重ね合わされる。また、タッピンねじ３が３点で締付穴２０に噛むものであれば、締付穴２０は正三角形以外の三角形でもよい。
【００２０】
図６（Ｃ）において、締付穴２０は十字形であり、平面視において、円形の締付穴１０の周縁１００に、十字形の締付穴２０の周縁２００が、部分２００Ａにおいて接するようにして、板体２が薄板１上に重ね合わされる。図示の例では、タッピンねじ３は４点で締付穴２０に噛むようになっているが、締付穴２０の形状を変形することで、タッピンねじ３と締付穴２０との噛み合い箇所の数を任意の個数とすることができる。
【００２１】
図６（Ｄ）において、締付穴２０は六角形であり、平面視において、円形の締付穴１０の周縁１００と六角形の締付穴２０の周縁２００が、部分２００Ａにおいて接するようにして、板体２が薄板１上に重ね合わされる。図示の例では、タッピンねじ３は６点で締付穴２０に噛むようになっているが、締付穴２０を任意の多角形から形成することで、タッピンねじ３と締付穴２０との噛み合い箇所の数を任意の個数とすることができる。
【００２２】
本発明に係るねじの締結構造を用いたパネルへの部品の取り付けについて説明する。図７は、いわゆるオーバーヘッドドアの概略斜視図であって、オーバーヘッドドアのドア体は、開口幅方向に延出する複数のパネル５を丁番６を介して上下方向に連結することで構成されている。パネル５の幅方向両端部には、ローラブラケット６を介してガイドローラ７が回転自在に軸支されている。開口部の幅方向両端部には、ドア体を案内する左右のガイドレール８が設けてあり、ドア体は、ガイドローラ７が左右のガイドレール８に案内されることで、ガイドレール８に沿って昇降可能となっている。また、シャッター錠が装着されたパネル５の幅方向両端部には、ラッチ組立体９が設けてある。開口部上方の天井部には、開口幅方向に延出するシャフト１０が設けてあり、シャフト１０の両端部には、ワイヤ（図示せず）を巻装するドラム１０Ａが設けてある。巻取りシャフト１０の正逆回転によって、ワイヤを介して、ドア体が昇降する。ドア体を構成する最下位のパネル５の幅方向両端部には、ワイヤが切断した時にパネル５の急降下を停止するドア体の急降下停止装置１１が設けてある。急降下停止装置１１は、回動可能なブレードアセンブリを備えており、ワイヤ切断時に、ブレードが回動してガイドレール８に噛み込むようになっている。
【００２３】
パネル５は、薄肉の板材を折曲して形成されており、パネル５内部には断熱材としてウレタン（図示せず）が充填されている。したがって、パネル５の面部は、薄板１Ａから形成されており、薄板１Ａは、薄板１に対応する。また、パネル５を形成する薄肉の板材を、必要に応じて、折り返し加工して重ね合わせることで、部分的に肉厚部が形成されており、ねじの締結を容易にしている。例えば、丁番６が固定される部位を重ね合わせ部から形成してもよい。
【００２４】
図８に示すように、パネル５の幅方向両端部には、竪框５０が装着されている。図１１に示すように、竪框５０は、板材を折曲することで、対向状の見付面、対向する見付面同士を連結する見込面とから断面略コ字形状に形成されている。一方の見付面は他方の見付面よりも幅広に形成されている。幅広の見付面を構成する板体２Ａの所定部位には、長穴の締付穴２０が形成されている。図９に示すように、パネル５の幅方向端部の面部には、長穴の締付穴２０に対応するように締付穴１０が形成されている。竪框５０が装着されるパネル５の幅方向両端の面部の薄板１Ａには、板体２Ａを介して、ローラブラケット６、ラッチ組立体９、急降下停止装置１１等の部品が設けられる。これらの部品は竪框５０を形成する板体２Ａに当接する板部（図５における板体４に相当する）を有しており、当該板部には、タッピンねじ３を挿通させるばか穴が形成されている。尚、当該板部は、図１３で説明すると、ローラブラケット６の部分６０，６１である。
【００２５】
パネル５の面部に取り付けられるその他の部品について説明する。パネル５の面部の薄板１Ａには、断面視ハット型の補強材１２が、取付片１３を介して装着されている。パネル面部の薄板１Ａに当接する取付片１３の板部２Ｂには長穴の締付穴２０が形成されており、薄板１Ａには、取付片１３の長穴の締付穴２０に対応して締付穴１０が形成されている。すなわち、板状の取付片１３の板部２Ｂが板体２に対応しており、取付片１３はタッピンねじ３によってパネル面部の薄板１Ａに固定される。複数の取付片１３が、上下２列でパネル５の幅方向に亘って設けてあり、補強材１２は、上下の取付片列間に挟持される。
【００２６】
また、上端に位置するパネル５の面部にはドアブラケット１４が装着される。ドアブラケット１４は、板材を断面視Ｌ形状に折曲してなり、パネル面部の薄板１Ａに当接する板体２Ｃの所定部位には、長穴の締付穴２０が形成されており、薄板１Ａには、板体２Ｃの長穴の締付穴２０に対応して締付穴１０が形成されている。
【００２７】
オーバーヘッドドアに関する実施形態において、長穴の締付穴２０が形成された部材、締付穴１０が形成された部材は、図１乃至図６に示すねじの締結構造と同じ構造を用いて、タッピンねじ３を用いて締結することができ、図１乃至図６に示すねじの締結構造に関連する記載は、オーバーヘッドドアに関する実施形態に援用することができる。
【産業上の利用可能性】
【００２８】
本発明は、薄肉の板材から形成されたパネルに対する部品の固定に利用することができる。
【図面の簡単な説明】
【００２９】
【図１】（Ａ）は、薄板と薄板の上に重ね合わせた板体とをタッピンねじで締結した状態の平面図であり、（Ｂ）は、図１（Ａ）においてタッピンねじを締結する前の状態を示している。
【図２】図１（Ａ）におけるＸ方向から見た断面図である。
【図３】図１（Ａ）におけるＹ方向から見た断面図である。
【図４】図１（Ｂ）を拡大して示す図である。
【図５】薄板に対するタッピンねじの締結構造の他の態様を示す図である。
【図６】板体２に形成された締付穴２０の他の態様例を示す図である。
【図７】オーバーヘッドドアの概略斜視図である。
【図８】パネルの部分正面図である。
【図９】図７の竪框部分を拡大して示す部分図である。
【図１０】図７のパネルの断面図である。
【図１１】パネルの幅方向端部に装着される竪框を示す図である
【図１２】（Ａ）は取付プレート、（Ｂ）はドアブラケットである。
【図１３】パネルにおいて、ローラブラケットが装着された部位を示す。
【符号の説明】
【００３０】
１  薄板
１０  薄板に形成された締付穴
１００  穴の周縁
２  板体
２０  板体に形成された締付穴
２００  周縁
２００Ａ  周縁の部分
２００Ｂ  周縁の部分
３  タッピンねじ
Ｄ１  外径
Ｄ２  谷の径
４  板体
【図１】
2008019949.tif 000003
【図２】
2008019949.tif 000004
【図３】
2008019949.tif 000005
【図４】
2008019949.tif 000006
【図５】
2008019949.tif 000007
【図６】
2008019949.tif 000008
【図７】
2008019949.tif 000009
【図８】
2008019949.tif 000010
【図９】
2008019949.tif 000011
【図１０】
2008019949.tif 000012
【図１１】
2008019949.tif 000013
【図１２】
2008019949.tif 000014
【図１３】
2008019949.tif 000015